【手続補正書】
【提出日】平成25年2月14日(2013.2.14)
【手続補正１】
【補正対象書類名】特許請求の範囲
【補正対象項目名】全文
【補正方法】変更
【補正の内容】
【特許請求の範囲】
【請求項１】
高吸収性高分子および隔離された過酸化物から基本的になる抗菌性高分子組成物であって、前記隔離された過酸化物は前記抗菌性高分子組成物と比べて少なくとも０．３６重量％であり、前記抗菌性高分子組成物は液体のない乾燥した粒子の形態である、抗菌性高分子組成物。
【請求項２】
隔離された過酸化物および高吸収性高分子から基本的になる抗菌性高分子組成物であって、高吸収性高分子のグラムあたり０．００５〜０．２グラムの過酸化水素によって前記高吸収性高分子を処理することにより生成され、前記処理は過酸化水素の水性処理液で前記高吸収性高分子を膨潤させる工程と、続いて前記処理された高吸収性高分子を乾燥させる工程とを有し、前記隔離された過酸化物は前記抗菌性高分子組成物と比べて少なくとも０．３６重量％であり、前記抗菌性高分子組成物は液体のない乾燥した粒子の形態である、抗菌性高分子組成物。
【請求項３】
高吸収性高分子、隔離された過酸化物、および高吸収性高分子のグラムあたり少なくとも０．０２グラムの金属塩から基本的になる抗菌性高分子組成物であって、前記隔離された過酸化物は前記抗菌性高分子組成物と比べて少なくとも０．３６重量％であり、前記金属塩は酢酸亜鉛、酢酸マグネシウム、及び酢酸ジルコニウムの群から選択される酢酸塩であり、前記抗菌性高分子組成物は液体のない乾燥した粒子の形態である、抗菌性高分子組成物。
【請求項４】
高吸収性高分子、隔離された過酸化物、および金属塩から基本的になる抗菌性高分子組成物であって、金属塩と高吸収性高分子のグラムあたり０．００５〜０．２グラムの過酸化水素とによって前記高吸収性高分子を処理することにより生成され、前記処理は過酸化水素水溶液と、高吸収性高分子のグラムあたり少なくとも０．０２グラムの金属塩で前記高吸収性高分子を処理するのに適した量の金属塩とを有する水性処理液で前記高吸収性高分子を膨潤させる工程と、続いて前記処理された高吸収性高分子を乾燥させる工程とを有し、前記隔離された過酸化物は前記抗菌性高分子組成物と比べて少なくとも０．３６重量％であり、前記金属塩は酢酸亜鉛、酢酸マグネシウム、及び酢酸ジルコニウムからなる群から選択される酢酸塩であり、前記抗菌性高分子組成物は液体のない乾燥した粒子の形態である、抗菌性高分子組成物。
【請求項５】
請求項１〜４のいずれか記載の抗菌性高分子組成物において、前記高吸収性高分子は、カルボン酸塩含有高分子、セルロース誘導体、ポリアクリルアミド、またはポリジアリルジアルキルアンモニウム塩である、抗菌性高分子組成物。
【請求項６】
請求項１〜４のいずれか記載の抗菌性高分子組成物において、前記高吸収性高分子は、部分的に中和されたアクリル酸高分子の架橋された親水性ナトリウム塩形態である、抗菌性高分子組成物。
【請求項７】
請求項１〜６のいずれか記載の抗菌性高分子組成物において、１１ミリリットルの水性液体中における約１，０００，０００の生菌への０．２グラムの前記抗菌性高分子組成物の添加が、前記水性液体中における生菌を３−ｌｏｇ減少させるものである、抗菌性高分子組成物。
【請求項８】
請求項１〜６のいずれか記載の抗菌性高分子組成物を有する、包帯、創傷ドレッシング、タンポン、生理用ナプキン、おむつ、雑巾、失禁装置または衣服、食品包装、または医療装置。
【請求項９】
請求項１及び２のいずれか記載の抗菌性高分子組成物を製造する方法であって、
（ａ）高吸収性高分子のグラムあたり０．００５〜０．２グラムの過酸化水素を有する水性処理液によって高吸収性高分子を膨潤させる工程と、
（ｂ）前記処理した高吸収性高分子を乾燥させる工程と
を有し、前記隔離された過酸化物は前記抗菌性高分子組成物と比べて少なくとも０．３６重量％であり、前記抗菌性高分子組成物は液体のない乾燥した粒子の形態であり、これにより非浸出性抗菌活性を有する前記抗菌性高分子組成物が生成され、且つ過酸化水素が前記抗菌性高分子組成物の内部または表面で隔離されるものである、方法。
【請求項１０】
請求項３及び４のいずれか記載の抗菌性高分子組成物を製造する方法であって、
（ａ）高吸収性高分子のグラムあたり０．００５〜０．２グラムの過酸化水素と、さらに、高吸収性高分子のグラムあたり少なくとも０．０２グラムの金属塩で前記高吸収性高分子を処理するのに適した量の金属塩とを有する水性処理液によって高吸収性高分子を膨潤させる工程であって、前記金属塩は酢酸亜鉛、酢酸マグネシウム、及び酢酸ジルコニウムからなる群から選択される酢酸塩である、前記膨潤させる工程と、
（ｂ）前記処理した高吸収性高分子を乾燥させる工程と
を有し、前記隔離された過酸化物は前記抗菌性高分子組成物と比べて少なくとも０．３６重量％であり、前記金属塩は酢酸亜鉛、酢酸マグネシウム、及び酢酸ジルコニウムからなる群から選択される酢酸塩であり、前記抗菌性高分子組成物は液体のない乾燥した粒子の形態であり、これにより非浸出性抗菌活性を有する前記抗菌性高分子組成物が生成され、且つ過酸化水素が前記高吸収性高分子の内部または表面で隔離されるものである、方法。
【請求項１１】
請求項９または１０記載の方法において、前記高吸収性高分子は、カルボン酸塩含有高分子、セルロース誘導体、ポリアクリルアミド、またはポリジアリルジアルキルアンモニウム塩である、方法。
【請求項１２】
請求項１１記載の方法において、前記カルボン酸塩含有高分子は、部分的に中和されたアクリル酸高分子の架橋された親水性ナトリウム塩形態である、方法。
【請求項１３】
感染した液体中の生菌を３−ｌｏｇ減少させるために前記液体を消毒する方法であって、請求項１〜４のいずれか記載の抗菌性高分子組成物と前記液体とを接触させる工程を有し、前記抗菌性高分子組成物は前記感染した液体のリッターあたり約１８グラムで存在するものである、方法。
【請求項１４】
請求項８記載のおむつまたは失禁用衣服を使用することによりおむつかぶれを制御する方法。
【請求項１５】
請求項９または１０記載の方法において、前記水性処理液は、前記高吸収性高分子の少なくとも５倍の重量である、方法。
【手続補正２】
【補正対象書類名】明細書
【補正対象項目名】０００４
【補正方法】変更
【補正の内容】
【０００４】
Ｒｅｂｒｅは、米国特許５，４４２，０１４及び５，３７３，０６６において、その製造の間、過酸化水素を有する特定の高吸収性高分子について記述している。過酸化水素を有する処理は、ＳＡＰ製品において含まれる残留モノマーを許容できるレベルに明らかに減少させる。過酸化水素の量は、乾燥したＳＡＰ高分子に対して、０．０８重量％から０．１９重量％である。
金属過酸化物または金属塩及び過酸化水素（「ＨＰ」）の複合体は、織物のための抗菌処理として言及されている。これらの組成物は、酢酸亜鉛のような金属塩類の反応によって形成されることがある（米国特許５，６５６，０３７、５，１５２，９９６、４，１９９，３２及び  ４，１７４，４１８）。
（産業上の利用可能性）
高吸収性高分子（ＳＡＰ）の産業は、頻繁に、それらの吸収及び保持能力の性質に加えて、それらの製品に他の性質を付加する必要性に直面している。例えば、吸収性用品が適所に体液を注入される際は、特に尿において、強力で不快な匂いを放つ。例えば、皮膚上及び消化管内に存在する細菌ウレアーゼによる尿素の加水分解に起因するアンモニア臭が挙げられる。いくつかのＳＡＰ製品からのこれらの匂いを除去することを狙いとして、特定の防臭剤が教示されている。したがって、ＷＯ  ９８／２０９１５及びＥＰ７３９６３５は、それぞれ、ゼオライト及びホウ砂を含む混合物を記載している。米国特許４，８４２，５９３は、非浸出方法で取り込まれない、パッド剤及び非中毒性、非刺激性及び不揮発性の抗菌剤を有するＳＡＰを含むおむつについて記載している。
この出願の発明に関連する先行技術文献情報としては、以下のものがある（国際出願日以降国際段階で引用された文献及び他国に国内移行した際に引用された文献を含む）。
【先行技術文献】
【特許文献】
【手続補正３】
【補正対象書類名】明細書
【補正対象項目名】０００５
【補正方法】変更
【補正の内容】
【０００５】
【特許文献０１】  米国特許第５３７３０６６号明細書
【特許文献０２】  米国特許第４６５４０３９号明細書
【特許文献０３】  米国特許第４１９９３２２号明細書
【特許文献０４】  米国特許第４１７２８４１号明細書
【特許文献０５】  米国特許出願公開第２００８／００８１８４８号明細書
【特許文献０６】  米国特許出願公開第２００７／０１２９５１５号明細書
【特許文献０７】  米国特許出願公開第２００７／０１１０７７９号明細書
【特許文献０８】  米国特許出願公開第２００７／００２０４５２号明細書
【特許文献０９】  米国特許出願公開第２００６／００８９６１１号明細書
【特許文献１０】  米国特許出願公開第２００７／００７７４２８号明細書
【特許文献１１】  米国特許出願公開第２００４／０１８５７３５号明細書
【特許文献１２】  米国特許第６３９９０９２号明細書
【特許文献１３】  米国特許出願公開第２００５／０１１３２７７号明細書
【特許文献１４】  米国特許第５４４２０１４号明細書
【特許文献１５】  米国特許出願公開第２００５／０１２４７２４号明細書
【特許文献１６】  米国特許第５２９３８８５号明細書
【特許文献１７】  米国特許第６０４３２０９号明細書
【特許文献１８】  米国特許第２９７６５７６号明細書
【特許文献１９】  米国特許第２９８８５３９号明細書
【特許文献２０】  米国特許第３２２０９６０号明細書
【特許文献２１】  米国特許第３３９３１６８号明細書
【特許文献２２】  米国特許第３５１４４１９号明細書
【特許文献２３】  米国特許第３５５７０６７号明細書
【特許文献２４】  米国特許第３７８３８７２号明細書
【特許文献２５】  米国特許第３９００３７８号明細書
【特許文献２６】  米国特許第３９９３６１６号明細書
【特許文献２７】  米国特許第３９６６６７９号明細書
【特許文献２８】  米国特許第４０６９１７７号明細書
【特許文献２９】  米国特許第４０７６６６３号明細書
【特許文献３０】  米国特許第４１１５３３２号明細書
【特許文献３１】  米国特許第４１１７２２２号明細書
【特許文献３２】  米国特許第４１６７４６４号明細書
【特許文献３３】  米国特許第４１７４４１８号明細書
【特許文献３４】  米国特許第４１９２７２７号明細書
【特許文献３５】  米国特許第４１９２８２７号明細書
【特許文献３６】  米国特許第４２３５２３７号明細書
【特許文献３７】  米国特許第４４０１７９３号明細書
【特許文献３８】  米国特許第４４４９９７７号明細書
【特許文献３９】  米国特許第４５２９７３９号明細書
【特許文献４０】  米国特許第４８４２５９３号明細書
【特許文献４１】  米国特許第４９８５０２３号明細書
【特許文献４２】  米国特許第４９９０３３８号明細書
【特許文献４３】  米国特許第５０３５８９２号明細書
【特許文献４４】  米国特許第５０４５３２２号明細書
【特許文献４５】  米国特許第５０６１４８７号明細書
【特許文献４６】  米国特許第５０７９００４号明細書
【特許文献４７】  米国特許第５１５２９９６号明細書
【特許文献４８】  米国特許第５５９９３３５号明細書
【特許文献４９】  米国特許第５６５６０３７号明細書
【特許文献５０】  米国特許第５６６９８９４号明細書
【特許文献５１】  米国特許第７４２９６３２号明細書
【特許文献５２】  米国特許第４１５４８９８号明細書
【特許文献５３】  欧州特許出願公開第０７３９６３５号明細書
【特許文献５４】  国際公開第９８／２０９１５号
【非特許文献】
【手続補正４】
【補正対象書類名】明細書
【補正対象項目名】０００６
【補正方法】変更
【補正の内容】
【０００６】
【非特許文献０１】  ＭＵＳＴＡＦＡ  ＡＲＩＦＯＧＬＵ  ｅｔ  ａｌ．，"Ｒｅａｃｔｉｏｎ  ｏｆ  Ｔｈｉｏｕｒｅａ  ｗｉｔｈ  Ｈｙｄｒｏｇｅｎ  Ｐｅｒｏｘｉｄｅ：１３Ｃ  ＮＭＲ  Ｓｔｕｄｉｅｓ  ｏｆ  ａｎ  Ｏｘｉｄａｔｉｖｅ／Ｒｅｄｕｃｔｉｖｅ  Ｂｌｅａｃｈｉｎｇ  Ｐｒｏｃｅｓｓ"Ｔｅｘｔｉｌｅ  Ｒｅｓ．Ｊ．６２（２），９４−１００（１９９２）．
【非特許文献０２】  ＫＵＮＩＯ  ＮＡＫＡＧＡＷＡ  ａｎｄ  ＫＹＡＪＩ  ＭＩＮＡＭＩ，"Ｒｅｄｕｃｔｉｏｎ  ｏｆ  Ｏｒｇａｎｉｃ  Ｃｏｍｐｏｕｎｄｓ  ｗｉｔｈ  Ｔｈｉｏｕｒｅａ  Ｄｉｏｘｉｄｅ．Ｉ．Ｒｅｄｕｃｔｉｏｎ  ｏｆ  Ｋｅｔｏｎｅｓ  ｔｏ  Ｓｅｃｏｎｄａｒｙ  Ａｌｃｏｈｏｌｓ"Ｔｅｔｒａｈｅｄｒｏｎ  Ｌｅｔｔｅｒｓ  Ｎｏ．５，３４３−３４６（１９７２）．
【発明の概要】
【課題を解決するための手段】